(57)【要約】【課題】良好な画像を形成する。【解決手段】プリンタ１は、プロセスカラーのトナーであるカラートナーと、プロセスカラー以外の特色のトナーである特色トナーとを使用して画像を形成する画像形成部１４と、画像形成部１４においてカラートナーのうち使用頻度が所定の条件を満たす色のトナーである、使用されない色のトナーを使用して画像が形成される際適用されるスクリーンを、画像形成部１４において特色トナーを使用して画像が形成される際適用されるスクリーンに設定するスクリーン選択部５４と、スクリーン選択部５４で選択されたスクリーンに基づいてハーフトーン処理を行うハーフトーン処理部６０とを設ける。【選択図】図４
2019059094.tif 000002
【特許請求の範囲】
【請求項１】
プロセスカラーの現像剤であるカラー現像剤と、前記プロセスカラー以外の特色の現像剤である特色現像剤とを使用して画像を形成する画像形成部と、
前記画像形成部において前記カラー現像剤のうち使用頻度が所定の条件を満たす色の現像剤を使用して画像が形成される際適用されるスクリーンを、前記画像形成部において前記特色現像剤を使用して画像が形成される際適用されるスクリーンに設定するスクリーン選択部と、
前記スクリーン選択部で選択されたスクリーンに基づいてハーフトーン処理を行うハーフトーン処理部と
を有する画像形成装置。
【請求項２】
前記スクリーン選択部は、前記カラー現像剤のうち使用頻度が所定の閾値を満たす色の現像剤を使用して画像が形成される際適用されるスクリーンを、前記特色現像剤を使用して画像が形成される際適用されるスクリーンに設定する
請求項１に記載の画像形成装置。
【請求項３】
前記スクリーン選択部は、前記カラー現像剤のうち使用頻度が所定の閾値以下の色の現像剤を使用して画像が形成される際適用されるスクリーンを、前記特色現像剤を使用して画像が形成される際適用されるスクリーンに設定する
請求項２に記載の画像形成装置。
【請求項４】
前記スクリーン選択部は、前記カラー現像剤のうち使用されない色の現像剤を使用して画像が形成される際適用されるスクリーンを、前記特色現像剤を使用して画像が形成される際適用されるスクリーンに設定する
請求項３に記載の画像形成装置。
【請求項５】
前記スクリーン選択部は、前記カラー現像剤のうち使用頻度が所定の条件を満たす色の現像剤が存在しない場合、周波数特性を有さないスクリーンを、前記特色現像剤を使用して画像が形成される際適用されるスクリーンに設定する
請求項１に記載の画像形成装置。
【請求項６】
前記スクリーン選択部は、前記カラー現像剤のうち使用されない色の現像剤が存在しない場合、周波数特性を有さないスクリーンを、前記特色現像剤を使用して画像が形成される際適用されるスクリーンに設定する
請求項５に記載の画像形成装置。
【請求項７】
前記周波数特性を有さないスクリーンは、ＦＭスクリーンである
請求項５に記載の画像形成装置。
【請求項８】
前記画像形成部は、前記カラー現像剤の所定の色の現像剤が無くなった場合に現像剤が残っている色のみで画像を形成する限定色印刷機能を有し、
前記スクリーン選択部は、前記カラー現像剤のうち現像剤が無くなった色の現像剤を使用して画像が形成される際適用されるスクリーンを、前記特色現像剤を使用して画像が形成される際適用されるスクリーンに設定する
請求項１に記載の画像形成装置。
【請求項９】
前記特色は、ホワイトである
請求項１に記載の画像形成装置。
【請求項１０】
前記プロセスカラーは、シアン、マゼンタ、イエロー及びブラックである
請求項１に記載の画像形成装置。
【請求項１１】
プロセスカラーの現像剤であるカラー現像剤と、前記プロセスカラー以外の特色の現像剤である特色現像剤とを使用して画像を形成する画像形成方法において、
前記カラー現像剤のうち使用頻度が所定の条件を満たす色の現像剤を使用して画像が形成される際適用されるスクリーンを、前記特色現像剤を使用して画像が形成される際適用されるスクリーンに設定するスクリーン選択ステップと、
前記スクリーン選択ステップにおいて選択されたスクリーンに基づいてハーフトーン処理を行うハーフトーン処理ステップと
を有する画像形成方法。
【発明の詳細な説明】
【技術分野】
【０００１】
本発明は画像形成装置及び画像形成方法に関し、カラー現像剤に加え特色現像剤を用いて画像形成を行う画像形成装置に適用して好適なものである。
【背景技術】
【０００２】
従来、コンピュータにおいては、画像データを画像形成装置としてのプリンタへ送信することにより、該画像データを印刷させるものが広く普及している。プリンタは、複数設けられた画像形成ユニットから各色のトナーを出力させ印刷を行う。そのようなプリンタには、シアン、マゼンタ、イエロー及びブラックの４色のプロセスカラーのカラートナーに加えホワイトトナー等の特色トナーを用いるものが提案されている（例えば、特許文献１参照）。
【先行技術文献】
【特許文献】
【０００３】
【特許文献１】特開２０１５−１６１６９８号公報
【発明の概要】
【発明が解決しようとする課題】
【０００４】
このような画像形成装置においては、特色がプロセスカラーと積層された際に、モアレ及び粒状感を防ぎ良好な画像を形成することが望まれている。
【０００５】
本発明は以上の点を考慮してなされたもので、良好な画像を形成し得る画像形成装置を提案しようとするものである。
【課題を解決するための手段】
【０００６】
かかる課題を解決するため本発明の画像形成装置においては、プロセスカラーの現像剤であるカラー現像剤と、プロセスカラー以外の特色の現像剤である特色現像剤とを使用して画像を形成する画像形成部と、画像形成部においてカラー現像剤のうち使用頻度が所定の条件を満たす色の現像剤を使用して画像が形成される際適用されるスクリーンを、画像形成部において特色現像剤を使用して画像が形成される際適用されるスクリーンに設定するスクリーン選択部と、スクリーン選択部で選択されたスクリーンに基づいてハーフトーン処理を行うハーフトーン処理部とを設けるようにした。
【０００７】
また本発明の画像形成方法においては、プロセスカラーの現像剤であるカラー現像剤と、プロセスカラー以外の特色の現像剤である特色現像剤とを使用して画像を形成する画像形成方法において、カラー現像剤のうち使用頻度が所定の条件を満たす色の現像剤を使用して画像が形成される際適用されるスクリーンを、特色現像剤を使用して画像が形成される際適用されるスクリーンに設定するスクリーン選択ステップと、スクリーン選択ステップにおいて選択されたスクリーンに基づいてハーフトーン処理を行うハーフトーン処理ステップとを設けるようにした。
【０００８】
これにより本発明は、プロセスカラーのうち使用頻度が所定の条件を満たす色に用いられるスクリーンを特色用のスクリーンに適用した場合、モアレ及び粒状感を抑制することができ、画質を向上させることができる。
【発明の効果】
【０００９】
本発明によれば、良好な画像を形成し得る画像形成装置及び画像形成方法を実現できる。
【図面の簡単な説明】
【００１０】
【図１】プリンタの構成を示す右側面図である。
【図２】プリンタの内部構成を示すブロック図である。
【図３】プリンタの機能構成を示すブロック図である。
【図４】印刷処理手順を示すフローチャートである。
【図５】第１の実施の形態によるスクリーン選択処理手順を示すフローチャートである。
【図６】第２の実施の形態によるスクリーン選択処理手順（１）を示すフローチャートである。
【図７】第２の実施の形態によるスクリーン選択処理手順（２）を示すフローチャートである。
【発明を実施するための形態】
【００１１】
以下、発明を実施するための形態（以下実施の形態とする）について、図面を用いて説明する。
【００１２】
［１．第１の実施の形態］
［１−１．プリンタの内部構成］
図１及び図２に示すようにプリンタ１は電子写真式のカラープリンタであり、主にプリンタエンジン４６、コントローラ部３０、入出力Ｉ／Ｆ４０、オペレーションパネル４２及び濃度センサ４４により構成されている。プリンタエンジン４６は、給紙トレイ１０、給紙部１２、画像形成部１４、定着部１６、排出部１８及び両面印刷ユニット２０により構成されている。以下の説明においては、プリンタ１のうち利用者が正面に対峙する側を前側とし、その反対を後側とし、該前側に対峙した利用者から見て左及び右をそれぞれ左側及び右側とし、さらに上側及び下側を定義して説明する。
【００１３】
給紙トレイ１０は、印刷用紙を上下方向（積層方向）に積層させて収容するトレイである。印刷を行う際、給紙部１２は、給紙トレイ１０に積層された印刷用紙のうち積層方向の最上位に位置する印刷用紙を１枚ずつ取り出し、画像形成部１４に給紙する。画像形成部１４は、プリンタ１が外部から取得した画像データに基づいて印刷を行う。画像形成部１４には、無端ベルトでなる搬送ベルト２２が張架されており、この搬送ベルト２２の上面に、印刷用紙の搬送路がほぼ前後方向に沿って形成されている。搬送ベルト２２は、搬送路に沿った上側部分を後方向へ走行させるよう回転することにより、給紙部１２から引き渡された印刷用紙を載置した状態で、該搬送ベルト２２の走行に伴って該印刷用紙を前方へ進行させる。
【００１４】
画像形成部１４は、シアン（Ｃ）、マゼンタ（Ｍ）、イエロー（Ｙ）、ブラック（Ｋ）及びホワイト（Ｗ）の各トナー像を形成する５個の画像形成ユニット２４（２４Ｃ、２４Ｍ、２４Ｙ、２４Ｋ及び２４Ｗ）を有している。画像形成ユニット２４は、いわゆるＬＥＤ（Light Emitting Diode）方式のデジタルカラープリンタユニットであり、画像形成部１４に対する印刷用紙の挿入側（後側）から排出側（前側）に向かって順に並んで配設され、図示しない個別のモータによりそれぞれ駆動される。画像形成ユニット２４は、各色がそれぞれ、図示しない感光ドラム、帯電ローラ、ＬＥＤヘッド、現像部及び転写ローラを有している。感光ドラムは一方向に回転し、帯電ローラは感光ドラムの表面を一様に帯電させる。ＬＥＤヘッドは、帯電された感光ドラムの表面を画像情報に従って露光し、静電潜像を形成する。現像部は、各色の現像剤としてトナーが貯蔵されたトナーカートリッジ及び現像ローラを有しており、対応する色の静電潜像を現像し、感光ドラム上にトナー像を形成する。転写ローラは、感光ドラム上に形成されたトナー像を、搬送ベルト２２によって搬送される印刷用紙に転写する。このとき画像形成部１４は、ホワイト（Ｗ）、ブラック（Ｋ）、イエロー（Ｙ）、マゼンタ（Ｍ）、シアン（Ｃ）の順番で印刷用紙への転写を行う。
【００１５】
画像形成部１４は、トナー像を転写した印刷用紙を定着部１６へ搬送する。定着部１６は、定着用のローラ及び加圧用のローラにより構成されている。定着部１６は、例えばヒータ等による熱とローラ同士の圧力とにより、画像形成部１４で形成されたトナー像を有する印刷用紙上のトナーを印刷用紙に定着させ、該印刷用紙を排出部１８へ搬送する。
【００１６】
排出部１８は、トナー像が定着した印刷用紙を排紙トレイに排出する。両面印刷ユニット２０は、定着部１６よりも印刷用紙の搬送方向下流側に設けられており、トナー像が定着した面を有する印刷用紙を反転させて再度画像形成部１４に搬送し、トナー像が定着していない面にトナー像を付着させる。
【００１７】
プリンタ１は、図２に示すようにコントローラ部３０が各部を統轄制御する。コントローラ部３０は、ＣＰＵ（Central Processing Unit）３２を中心に構成されており、プリンタバス３８を介して各部と接続されている。ＣＰＵ３２は、ＲＯＭ（Read Only Memory）３４から所定のプログラムを読み出してＲＡＭ（Random Access Memory）３６をワークメモリとして用いてプリンタ１を制御して種々の処理を実行する。コントローラ部３０は、プリンタ１で印刷可能な形式のデータを生成し、プリンタバス３８を介してプリンタエンジン４６に送出する。
【００１８】
入出力Ｉ／Ｆ４０は、ネットワークやＵＳＢ（Universal Serial Bus）等のインタフェースであり、プリンタ１の外部に配されたＰＣ（Personal Computer）４８等の外部機器から送信された画像データを受信する。オペレーションパネル４２は、プリンタ１の状態や操作指示を表示するパネルと、プリンタ１を操作するボタンとにより構成されている。濃度センサ４４は、搬送ベルト２２上に印刷された単色の階調パッチ画像の濃度値を測定する。プリンタエンジン４６は、プロセスカラーとしてのシアン（Ｃ）、マゼンタ（Ｍ）、イエロー（Ｙ）及びブラック（Ｋ）と、特色としてのホワイト（Ｗ）との各トナー像を形成する５個の画像形成ユニット２４（２４Ｃ、２４Ｍ、２４Ｙ、２４Ｋ及び２４Ｗ）を有しており、コントローラ部３０で生成された印刷データを、紙面や搬送ベルト２２上に印刷する。
【００１９】
［１−２．プリンタの機能構成］
図３に示すようにコントローラ部３０は、色変換処理部５２、スクリーン選択部５４、濃度特性取得部５６、階調補正処理部５８及びハーフトーン処理部６０を有している。
【００２０】
画像データ受信部５０は、ＰＣ４８等の外部機器から画像データを受信し色変換処理部５２に供給する。プリンタ１において画像データに含まれる画像信号は、ＲＧＢの各色が８ビット（０〜２５５）の値で表現されている。
【００２１】
色変換処理部５２は、画像データ受信部５０から入力されたＲＧＢ各色２５６階調の画像信号をプリンタ１の色空間であるＣＭＹＫＷ各色２５６階調の画像信号に変換し、階調補正処理部５８及びスクリーン選択部５４に供給する。例えば、イエローを含まないカラー画像はＣＭＹＫＷの画像信号を用いてＹ成分を全て０％にすることで表現される。本実施の形態において色変換処理部５２は、色変換テーブルを用いた公知の補間方法によりＲＧＢ各色２５６階調の画像信号をＣＭＹＫＷ各色２５６階調の画像信号に変換する。色変換テーブルはプリンタ１の色再現特性を考慮し事前に準備されたＲＧＢ色空間とＣＭＹＫＷ色空間との関係を記述した３次元のルックアップテーブルである。以下では色変換処理部５２によるこの処理を色変換処理とも呼ぶ。
【００２２】
スクリーン選択部５４は、色変換処理部５２から入力されたＣＭＹＫＷの画像信号を参照し、ＣＭＹＫ何れかの画像信号が０であった場合、画像信号が０となる色のスクリーンをホワイト用のスクリーンとして設定し、画像信号が０の色がＣＭＹＫ何れにも存在しない場合はホワイト用のスクリーンに非周期なスクリーンであるＦＭ（Frequency Modulation）スクリーン（ランダムドットスクリーン）を設定する。スクリーン選択部５４は、設定した結果をスクリーン設定として階調補正処理部５８及びハーフトーン処理部６０に供給する。以下ではスクリーン選択部５４によるこの処理をスクリーン選択処理とも呼ぶ。
【００２３】
スクリーン選択部５４において設定されるＣＭＹＫ各色のスクリーンの角度は、各色の重ね合わせでモアレが発生しないように設定されている。具体的にはスクリーン角度は、一般的なオフセット印刷と同様に、Ｃ＝１４度、Ｍ＝７６度、Ｙ＝９０度、Ｋ＝４５度に設定されている。またＣＭＹＫ各色のスクリーンの線数は電子写真プロセスの特性による粒状感が現れにくいよう、１４０〜１５０ｌｐｉに設定されている。以下ではシアン用のスクリーンをＣスクリーンとも呼び、マゼンタ用のスクリーンをＭスクリーンとも呼び、イエロー用のスクリーンをＹスクリーンとも呼び、ブラック用のスクリーンをＫスクリーンとも呼び、ホワイト用のスクリーンをＷスクリーンとも呼ぶ。
【００２４】
ここで、プロセスカラー（ＣＭＹＫ）のスクリーンは、ＡＭ（Amplitude Modulation）スクリーンが用いられる。ＡＭスクリーンとは、一定密度のドットの大きさを変化させることで濃淡を表現する、すなわち濃度を振幅の変化で表すスクリーンである。ＡＭスクリーンは、周波数特性を有しないため、粒状感が発生しにくく画質が低下しにくい。
【００２５】
またＦＭスクリーンとは、一定サイズのドットの分布する密度を変化させることで濃淡を表現する、すなわち濃度を周波数の変化で表すスクリーンである。ＦＭスクリーンは、周波数変調によって階調を再現するため、ハイライト部分では数ドットからなる多数の孤立点で構成される。電子写真プロセスの特性上、数ドットからなる孤立点を忠実に再現することは困難であり、結果的に、孤立点の形状は不規則になり、粒状感が増加して画質の低下を引き起こすことになる。
【００２６】
濃度特性取得部５６は、搬送ベルト２２上に印刷された各ＣＭＹＫＷの階調パッチ画像の濃度値を測定し、プリンタ１の濃度特性として階調補正処理部５８に供給する。このとき濃度特性取得部５６は、ホワイトの階調パッチ画像はＦＭスクリーンと各ＣＭＹＫのスクリーンとで形成し、スクリーン毎に濃度特性を取得する。
【００２７】
階調補正処理部５８は、濃度特性取得部５６から入力されたプリンタ１の濃度特性と事前に設定された所望の濃度特性とに基づいて階調補正テーブルを生成する。このとき階調補正処理部５８は、スクリーン選択部５４で設定されたスクリーンに対応した濃度特性に基づいてホワイトの階調補正テーブルを生成する。階調補正テーブルは、入力された２５６階調の画像信号を所望の濃度特性を再現する２５６階調の画像信号に変換する１次元のルックアップテーブルであり、各ＣＭＹＫＷに対し生成される。階調補正処理部５８は、色変換処理部５２から入力された画像信号を階調補正テーブルに基づいて階調補正し、ハーフトーン処理部６０に供給する。以下では階調補正処理部５８によるこの処理を階調補正処理とも呼ぶ。
【００２８】
ハーフトーン処理部６０は、階調補正処理部５８から入力されたＣＭＹＫＷ各色２５６階調の画像信号を、スクリーン選択部５４で設定されたスクリーンを用いてプリンタ１が印刷可能な２階調に変換し、変換した画像データを印字部６２に供給する。以下ではハーフトーン処理部６０によるこの処理をハーフトーン処理とも呼ぶ。
【００２９】
印字部６２は、ハーフトーン処理部６０から入力された画像データを紙面に印刷したり、濃度特性取得部５６が濃度特性を取得するための階調パッチを搬送ベルト２２上に印刷したりする。
【００３０】
［１−３．印刷処理手順］
次に、プリンタ１による印刷処理の具体的な処理手順について、図４のフローチャートを用いて説明する。プリンタ１の電源が投入されるとコントローラ部３０は、ＣＰＵ３２がＲＯＭ３４から印刷処理プログラムを読み出して実行することにより印刷処理手順ＲＴ１を開始し、ステップＳＰ１へ移る。
【００３１】
ステップＳＰ１においてコントローラ部３０は、搬送ベルト２２上にＣＭＹＫＷの単色階調パッチを印字部６２により印刷して該単色階調パッチの濃度を濃度特性取得部５６で測定することにより濃度特性を読み取り、ステップＳＰ２へ移る。ステップＳＰ２においてコントローラ部３０は、ＰＣ４８から入力された画像データを画像データ受信部５０により受信し、ステップＳＰ３へ移る。ステップＳＰ３においてコントローラ部３０は、画像データ受信部５０から入力された画像データのＲＧＢ画像信号を３次元のルックアップテーブルを使って色変換処理部５２によりＣＭＹＫＷ画像信号に変換することにより色変換処理を行い、ステップＳＰ４へ移る。
【００３２】
ステップＳＰ４においてコントローラ部３０は、後述するスクリーン選択処理手順ＳＲＴ１に移りスクリーン選択部５４によりスクリーン選択処理を行うことにより、色変換処理部５２から入力されたＣＭＹＫの画像信号に基づいてＷスクリーンを決定し、ステップＳＰ５へ移る。
【００３３】
ステップＳＰ５においてコントローラ部３０は、濃度特性取得部５６において取得された濃度特性と、スクリーン選択部５４において選択されたスクリーン設定とに基づいて階調補正処理部５８により濃度特性を取得し、取得した濃度特性と事前に設定された所望の濃度特性とに基づいて階調補正テーブルを生成し、色変換処理部５２において処理された画像信号を階調補正することにより階調補正処理を行い、ステップＳＰ６へ移る。
【００３４】
ステップＳＰ６においてコントローラ部３０は、階調補正処理部５８において処理された２５６階調画像データを、スクリーン選択部５４において設定された各色のスクリーンでハーフトーン処理部６０によりハーフトーン処理を行うことにより２階調画像データに変換し、ステップＳＰ７へ移る。
【００３５】
ステップＳＰ７においてコントローラ部３０は、ハーフトーン処理部６０において処理されたＣＭＹＫＷの２値画像を印字部６２により印刷用紙に印刷し、ステップＳＰ８へ移り印刷処理手順ＲＴ１を終了する。
【００３６】
［１−４．スクリーン選択処理手順］
コントローラ部３０は、印刷処理手順ＲＴ１（図４）においてステップＳＰ４へ移ると、図５に示すスクリーン選択処理手順ＳＲＴ１を開始し、ステップＳＰ１１へ移る。ステップＳＰ１１においてコントローラ部３０は、スクリーン選択部５４により、色変換処理部５２において処理されたＹ画像信号を参照し、画像信号値が０であるか否か（すなわちＹ＝＝０であるか否か）を判定する。ここで肯定結果が得られると、このことは、今回の画像データにおいてイエロートナーは使用されないことを表し、このときコントローラ部３０はステップＳＰ１２へ移る。ステップＳＰ１２においてコントローラ部３０は、ＷスクリーンにＹスクリーンをスクリーン選択部５４により設定し、ステップＳＰ２０へ移りスクリーン選択処理手順ＳＲＴ１を終了し、印刷処理手順ＲＴ１（図４）におけるステップＳＰ５へ移る。
【００３７】
一方ステップＳＰ１１において否定結果が得られると（すなわちＹ！＝０である場合）、このことは、今回の画像データにおいてイエロートナーは使用されることを表し、このときコントローラ部３０はステップＳＰ１３へ移る。
【００３８】
ステップＳＰ１３においてコントローラ部３０は、スクリーン選択部５４により、色変換処理部５２において処理されたＭ画像信号を参照し、画像信号値が０であるか否か（すなわちＭ＝＝０であるか否か）を判定する。ここで肯定結果が得られると、このことは、今回の画像データにおいてマゼンタトナーは使用されないことを表し、このときコントローラ部３０はステップＳＰ１４へ移る。ステップＳＰ１４においてコントローラ部３０は、ＷスクリーンにＭスクリーンをスクリーン選択部５４により設定し、ステップＳＰ２０へ移りスクリーン選択処理手順ＳＲＴ１を終了し、印刷処理手順ＲＴ１（図４）におけるステップＳＰ５へ移る。
【００３９】
一方ステップＳＰ１３において否定結果が得られると（すなわちＭ！＝０である場合）、このことは、今回の画像データにおいてマゼンタトナーは使用されることを表し、このときコントローラ部３０はステップＳＰ１５へ移る。
【００４０】
ステップＳＰ１５においてコントローラ部３０は、スクリーン選択部５４により、色変換処理部５２において処理されたＣ画像信号を参照し、画像信号値が０であるか否か（すなわちＣ＝＝０であるか否か）を判定する。ここで肯定結果が得られると、このことは、今回の画像データにおいてシアントナーは使用されないことを表し、このときコントローラ部３０はステップＳＰ１６へ移る。ステップＳＰ１６においてコントローラ部３０は、ＷスクリーンにＣスクリーンをスクリーン選択部５４により設定し、ステップＳＰ２０へ移りスクリーン選択処理手順ＳＲＴ１を終了し、印刷処理手順ＲＴ１（図４）におけるステップＳＰ５へ移る。
【００４１】
一方ステップＳＰ１５において否定結果が得られると（すなわちＣ！＝０である場合）、このことは、今回の画像データにおいてシアントナーは使用されることを表し、このときコントローラ部３０はステップＳＰ１７へ移る。
【００４２】
ステップＳＰ１７においてコントローラ部３０は、スクリーン選択部５４により、色変換処理部５２において処理されたＫ画像信号を参照し、画像信号値が０であるか否か（すなわちＫ＝＝０であるか否か）を判定する。ここで肯定結果が得られると、このことは、今回の画像データにおいてブラックトナーは使用されないことを表し、このときコントローラ部３０はステップＳＰ１８へ移る。ステップＳＰ１８においてコントローラ部３０は、ＷスクリーンにＫスクリーンをスクリーン選択部５４により設定し、ステップＳＰ２０へ移りスクリーン選択処理手順ＳＲＴ１を終了し、印刷処理手順ＲＴ１（図４）におけるステップＳＰ５へ移る。
【００４３】
一方ステップＳＰ１７において否定結果が得られると（すなわちＫ！＝０である場合）、このことは、今回の画像データにおいてブラックトナーは使用されるため、イエロートナー、マゼンタトナー、シアントナー及びブラックトナーの全てが使用されることを表し、このときコントローラ部３０はステップＳＰ１９へ移る。
【００４４】
ステップＳＰ１９においてコントローラ部３０は、ＷスクリーンにＦＭスクリーンをスクリーン選択部５４により設定し、ステップＳＰ２０へ移りスクリーン選択処理手順ＳＲＴ１を終了し、印刷処理手順ＲＴ１（図４）におけるステップＳＰ５へ移る。このようにスクリーン選択部５４は、今回印刷される画像において使用されない色が存在するか否かを判定し、存在する場合、該画像データに使用されない色に用いられるスクリーンをＷスクリーンに設定する。
【００４５】
［１−５．効果等］
ところで、プロセスカラー用のスクリーンよりも高い線数のスクリーンをＷスクリーンに適用することにより、ホワイトトナーがカラートナーと積層した際のモアレを回避することも考えられる。しかしながらその場合、電子写真プロセスの特性による粒状感がホワイトトナーに現れやすくなり、画質が荒くなってしまう。
【００４６】
また、４色のカラートナー各色のスクリーンの角度は、各色の重ね合わせでモアレが発生しないように設定されている。しかしながら、その４色にさらに特色が加わった際に、カラートナーで用いられているスクリーンの角度以外で、ホワイトトナーがカラートナーと積層した際のモアレを回避するスクリーンの角度をホワイトトナーに設定することは困難である。
【００４７】
これに対しプリンタ１は、プロセスカラー（ＣＭＹＫ）のうち、今回印刷される画像において使用されない色のトナーに本来用いられるよう設定されていたスクリーンをホワイトトナーに適用するようにした。ここで、プロセスカラー各色のスクリーンの角度は、プロセスカラー各色の重ね合わせでモアレが発生しないように設定されている。またプロセスカラー各色のスクリーンは、周波数特性を有するため粒状感を抑制する。このためプリンタ１は、プロセスカラーと重ねてもモアレが発生しないスクリーンをホワイトトナーに適用できる。これによりプリンタ１は、非周期スクリーンによるハーフトーン処理を行わないため粒状感による画質の劣化を抑制すると共に、カラーとホワイトとで構成される画像におけるカラートナーとホワイトトナーとのモアレを抑制することができ、画質を向上できる。
【００４８】
さらにプリンタ１は、今回印刷される画像において使用されない色のトナーに本来用いられるよう設定されていたスクリーンをホワイトトナーに適用するため、今回印刷される画像においては使用用途がなく余っており、且つプロセスカラーと重ね合わされた際にモアレが発生しないスクリーンを有効活用できる。
【００４９】
またプリンタ１は、今回印刷される画像において全てのプロセスカラーが使用される、すなわち使用されない色のトナーが存在しない場合、ＦＭスクリーンをホワイトトナーに適用するようにした。これによりプリンタ１は、ホワイトトナーの粒状感は発生させやすいものの、周波数特性を有さないスクリーンを適用することにより、カラートナーとホワイトトナーとのモアレを抑制することができ、画質を向上できる。
【００５０】
以上の構成によればプリンタ１は、プロセスカラーのトナーであるカラー現像剤としてのカラートナーと、プロセスカラー以外の特色のトナーである特色現像剤としての特色トナーとを使用して画像を形成する画像形成部１４と、画像形成部１４においてカラートナーのうち使用頻度が所定の条件を満たす色のトナーである、使用されない色のトナーを使用して画像が形成される際適用されるスクリーンを、画像形成部１４において特色トナーを使用して画像が形成される際適用されるスクリーンに設定するスクリーン選択部５４と、スクリーン選択部５４で選択されたスクリーンに基づいてハーフトーン処理を行うハーフトーン処理部６０とを設けるようにした。これによりプリンタ１は、ホワイト用のスクリーンにプロセスカラーで使用されないスクリーンを適用した場合、モアレ及び粒状感を抑制することができ、画質を向上させることができる。
【００５１】
［２．第２の実施の形態］
［２−１．プリンタの構成］
図１乃至図３に示すように第２の実施の形態によるプリンタ１０１は、第１の実施の形態によるプリンタ１と比較して、コントローラ部３０に代わるコントローラ部１３０を有する点において相違するものの、他の点については同様に構成されている。第２の実施の形態によるコントローラ部１３０は、第１の実施の形態によるコントローラ部３０と比較して、スクリーン選択部５４に代わるスクリーン選択部１５４を有する点において相違するものの、他の点については同様に構成されている。
【００５２】
［２−２．印刷処理手順］
プリンタ１０１による印刷処理の具体的な処理手順について、図４に示す印刷処理手順ＲＴ１０１を用いて説明する。印刷処理手順ＲＴ１０１は印刷処理手順ＲＴ１と比較して、ステップＳＰ４（スクリーン選択処理手順ＳＲＴ１）に代えてステップＳＰ１０４（スクリーン選択処理手順ＳＲＴ１０１）が設けられている。
【００５３】
コントローラ部１３０は、ステップＳＰ１〜ステップＳＰ３において印刷処理手順ＲＴ１と同様の処理を行い、ステップＳＰ１０４へ移り、後述するスクリーン選択処理手順ＳＲＴ１０１に移りスクリーン選択部１５４によりスクリーン選択処理を行うことにより、色変換処理部５２から入力されたＣＭＹＫの画像信号に基づいてＷスクリーンを設定し、ステップＳＰ５へ移る。コントローラ部１３０は、ステップＳＰ５〜ステップＳＰ７において印刷処理手順ＲＴ１と同様の処理を行い、ステップＳＰ８へ移り印刷処理手順ＲＴ１０１を終了する。
【００５４】
［２−３．スクリーン選択処理手順］
コントローラ部１３０は、印刷処理手順ＲＴ１０１（図４）においてステップＳＰ１０４へ移ると、図５と対応するフローに同一符号を付した図６及び図７に示すスクリーン選択処理手順ＳＲＴ１０１を開始し、ステップＳＰ１０１へ移る。スクリーン選択処理手順ＳＲＴ１０１はスクリーン選択処理手順ＳＲＴ１と比較して、ステップＳＰ１１、ＳＰ１３、ＳＰ１５及びＳＰ１７に代えてステップＳＰ１０１、ＳＰ１０２、ＳＰ１０３、ＳＰ１０４、ＳＰ１０５、ＳＰ１０６、ＳＰ１０７及びＳＰ１０８が設けられている。
【００５５】
ここで、第１の実施の形態のように、プロセスカラーのうちの何れかの色が、今回印刷される画像において使用されない、すなわち濃度が最も薄く画像信号値が０である場合、その色のトナーに本来用いられるスクリーンをホワイトトナーに適用しても、モアレは発生しにくい。
【００５６】
これに対し、プロセスカラーのうちの何れかの色が、濃度が最も濃い、すなわち画像信号値が２５５である場合も、特色である白色の成分がその色に含まれなくなるため、その色のトナーに本来用いられるスクリーンをホワイトトナーに適用しても、モアレは発生しにくい。すなわち、プロセスカラーのうちの何れかの色の画像信号値が、画像信号値として取り得る値である０〜２５５のうち中間値である１２７である場合、その色は他の色と重なった際にモアレが最も発生しやすく、また、最も低い値である０と最も高い値である２５５とにおいては最もモアレが発生しにくく、０と２５５とから中間値に近付く程に、モアレが発生しやすくなるとも言える。
【００５７】
そこで第２の実施の形態によるプリンタ１０１においては、画像信号値の上限閾値及び下限閾値が予め設定されており、ＲＡＭ３６に保存されている。例えば上限閾値は、画像信号値として取り得る値である０〜２５５のうち２０５に設定されており、下限閾値は、５０に設定されている。第２の実施の形態においてこの上限閾値及び下限閾値は、全ての色において共通の値となっている。
【００５８】
ステップＳＰ１０１においてコントローラ部１３０は、スクリーン選択部１５４により、色変換処理部５２において処理されたＹ画像信号を参照し、画像信号値が下限閾値以下であるか否か（すなわちＹ＜＝５０であるか否か）を判定する。ここで肯定結果が得られると、このことは、今回の画像データにおいてイエロートナーは少量しか使用されないことを表し、このときコントローラ部１３０はステップＳＰ１２へ移る。
【００５９】
一方ステップＳＰ１０１において否定結果が得られると（すなわちＹ＞５０である場合）、このことは、今回の画像データにおいてイエロートナーは大量に使用される可能性があることを表し、このときコントローラ部１３０はステップＳＰ１０２へ移る。ステップＳＰ１０２においてコントローラ部１３０は、Ｙ画像信号の画像信号値が上限閾値以上であるか否か（すなわちＹ＞＝２０５であるか否か）をスクリーン選択部１５４により判定する。ここで肯定結果が得られると、このことは、今回の画像データにおいてイエロートナーは大量に使用されることを表し、このときコントローラ部１３０はステップＳＰ１２へ移る。
【００６０】
ステップＳＰ１２においてコントローラ部１３０は、ＷスクリーンにＹスクリーンをスクリーン選択部１５４により設定し、ステップＳＰ２０（図７）へ移りスクリーン選択処理手順ＳＲＴ１０１を終了し、印刷処理手順ＲＴ１０１（図４）におけるステップＳＰ５へ移る。
【００６１】
一方ステップＳＰ１０２において否定結果が得られると（すなわち５０＜Ｙ＜２０５である場合）、このことはＹスクリーンをＷスクリーンに適用するとモアレが発生しやすいためＹスクリーンはＷスクリーンには適用しない方が良いことを表し、このときコントローラ部１３０はステップＳＰ１０３へ移る。
【００６２】
ステップＳＰ１０３においてコントローラ部１３０は、Ｍ画像信号の画像信号値が下限閾値以下であるか否か（すなわちＭ＜＝５０であるか否か）をスクリーン選択部１５４により判定する。ここで肯定結果が得られると、このことは、今回の画像データにおいてマゼンタトナーは少量しか使用されないことを表し、このときコントローラ部１３０はステップＳＰ１４へ移る。
【００６３】
一方ステップＳＰ１０３において否定結果が得られると（すなわちＭ＞５０である場合）、このことは、今回の画像データにおいてマゼンタトナーは大量に使用される可能性があることを表し、このときコントローラ部１３０はステップＳＰ１０４へ移る。ステップＳＰ１０４においてコントローラ部１３０は、Ｍ画像信号の画像信号値が上限閾値以上であるか否か（すなわちＭ＞＝２０５であるか否か）をスクリーン選択部１５４により判定する。ここで肯定結果が得られると、このことは、今回の画像データにおいてマゼンタトナーは大量に使用されることを表し、このときコントローラ部１３０はステップＳＰ１４へ移る。
【００６４】
ステップＳＰ１４においてコントローラ部１３０は、ＷスクリーンにＭスクリーンをスクリーン選択部１５４により設定し、ステップＳＰ２０（図７）へ移りスクリーン選択処理手順ＳＲＴ１０１を終了し、印刷処理手順ＲＴ１０１（図４）におけるステップＳＰ５へ移る。
【００６５】
一方ステップＳＰ１０４において否定結果が得られると（すなわち５０＜Ｍ＜２０５である場合）、このことはＭスクリーンをＷスクリーンに適用するとモアレが発生しやすいためＭスクリーンはＷスクリーンには適用しない方が良いことを表し、このときコントローラ部１３０はステップＳＰ１０５へ移る。
【００６６】
ステップＳＰ１０５においてコントローラ部１３０は、Ｃ画像信号の画像信号値が下限閾値以下であるか否か（すなわちＣ＜＝５０であるか否か）をスクリーン選択部１５４により判定する。ここで肯定結果が得られると、このことは、今回の画像データにおいてシアントナーは少量しか使用されないことを表し、このときコントローラ部１３０はステップＳＰ１６へ移る。
【００６７】
一方ステップＳＰ１０５において否定結果が得られると（すなわちＣ＞５０である場合）、このことは、今回の画像データにおいてシアントナーは大量に使用される可能性があることを表し、このときコントローラ部１３０はステップＳＰ１０６へ移る。ステップＳＰ１０６においてコントローラ部１３０は、Ｃ画像信号が画像信号値の上限閾値以上であるか否か（すなわちＣ＞＝２０５であるか否か）をスクリーン選択部１５４により判定する。ここで肯定結果が得られると、このことは、今回の画像データにおいてシアントナーは大量に使用されることを表し、このときコントローラ部１３０はステップＳＰ１６へ移る。
【００６８】
ステップＳＰ１６においてコントローラ部１３０は、ＷスクリーンにＣスクリーンをスクリーン選択部１５４により設定し、ステップＳＰ２０（図７）へ移りスクリーン選択処理手順ＳＲＴ１０１を終了し、印刷処理手順ＲＴ１０１（図４）におけるステップＳＰ５へ移る。
【００６９】
一方ステップＳＰ１０６において否定結果が得られると（すなわち５０＜Ｃ＜２０５である場合）、このことはＣスクリーンをＷスクリーンに適用するとモアレが発生しやすいためＣスクリーンはＷスクリーンには適用しない方が良いことを表し、このときコントローラ部１３０はステップＳＰ１０７（図７）へ移る。
【００７０】
ステップＳＰ１０７においてコントローラ部１３０は、Ｋ画像信号の画像信号値が下限閾値以下であるか否か（すなわちＫ＜＝５０であるか否か）をスクリーン選択部１５４により判定する。ここで肯定結果が得られると、このことは、今回の画像データにおいてブラックトナーは少量しか使用されないことを表し、このときコントローラ部１３０はステップＳＰ１８へ移る。
【００７１】
一方ステップＳＰ１０７において否定結果が得られると（すなわちＫ＞５０である場合）、このことは、今回の画像データにおいてブラックトナーは大量に使用される可能性があることを表し、このときコントローラ部１３０はステップＳＰ１０８へ移る。ステップＳＰ１０８においてコントローラ部１３０は、Ｋ画像信号の画像信号値が上限閾値以上であるか否か（すなわちＫ＞＝２０５であるか否か）をスクリーン選択部１５４により判定する。ここで肯定結果が得られると、このことは、今回の画像データにおいてブラックトナーは大量に使用されることを表し、このときコントローラ部１３０はステップＳＰ１８へ移る。
【００７２】
ステップＳＰ１８においてコントローラ部１３０は、ＷスクリーンにＫスクリーンをスクリーン選択部１５４により設定し、ステップＳＰ２０へ移りスクリーン選択処理手順ＳＲＴ１０１を終了し、印刷処理手順ＲＴ１０１（図４）におけるステップＳＰ５へ移る。
【００７３】
一方ステップＳＰ１０８において否定結果が得られると（すなわち５０＜Ｋ＜２０５である場合）、このことはＫスクリーンをＷスクリーンに適用するとモアレが発生しやすいためＫスクリーンはＷスクリーンには適用しない方が良いことを表し、このときコントローラ部１３０はステップＳＰ１９へ移る。
【００７４】
ステップＳＰ１９においてコントローラ部１３０は、ＷスクリーンにＦＭスクリーンをスクリーン選択部１５４により設定し、ステップＳＰ２０へ移りスクリーン選択処理手順ＳＲＴ１０１を終了し、印刷処理手順ＲＴ１０１（図４）におけるステップＳＰ５へ移る。このようにスクリーン選択部１５４は、今回印刷される画像に使用される可能性はあるものの使用頻度が所定の閾値以下又は以上である色が存在するか否かを判定し、存在する場合、その色に用いられるスクリーンをＷスクリーンに設定する。
【００７５】
［２−４．効果等］
上述したように、プロセスカラーのうちの何れかの色の画像信号値が、画像信号値として取り得る値である０〜２５５のうち中間値である１２７である場合、モアレが最も発生しやすく、また、最も低い値である０と最も高い値である２５５とにおいては最もモアレが発生しにくく、０と２５５とから中間値に近付く程に、モアレが発生しやすくなると言える。
【００７６】
これに対しプリンタ１０１は、カラートナーのうち使用頻度が所定の閾値を満たす、すなわち画像信号値が下限閾値以下又は上限閾値以上の色のトナーを使用して画像が形成される際適用されるスクリーンを、ホワイトトナーを使用して画像が形成される際適用されるスクリーンに設定するようにした。このためプリンタ１０１は、プロセスカラーと重ねてもＦＭスクリーンを適用するよりはモアレが発生しにくいスクリーンをホワイトトナーに適用できる。これによりプリンタ１０１は、非周期スクリーンによるハーフトーン処理を行わないため粒状感による画質の劣化を抑制すると共に、カラーとホワイトとで構成される画像におけるカラートナーとホワイトトナーとのモアレを抑制することができ、画質を向上できる。
【００７７】
その他の点においても、第２の実施の形態によるプリンタ１０１は、第１の実施の形態によるプリンタ１と同様の作用効果を奏し得る。
【００７８】
［３．他の実施の形態］
なお上述した第１の実施の形態においては、スクリーン選択処理手順ＳＲＴ１において、Ｙ画像信号、Ｍ画像信号、Ｃ画像信号、Ｋ画像信号の順番に、画像信号値が０か否かを判定する場合について述べた。本発明はこれに限らず、他の任意の順番で画像信号値が０か否かを判定しても良い。要はプリンタ１は、印刷に使用しない色のスクリーンを判定しＷスクリーンに設定できれば良い。第２の実施の形態においても同様である。
【００７９】
またプリンタ１は、ある色のトナーが無くなった場合にトナーが残っている色のみで印刷する限定色印刷機能を有する場合、トナーが無くなり印刷に使用されない色のスクリーンをＷスクリーンに設定しても良い。第２の実施の形態においても同様である。
【００８０】
さらに上述した第１の実施の形態においては、スクリーン選択処理手順ＳＲＴ１において、画像信号値が０であるプロセスカラーのスクリーンをＷスクリーンに適用する場合について述べた。本発明はこれに限らず、画像信号値が０又は２５５であるプロセスカラーのスクリーンをＷスクリーンに適用しても良い。
【００８１】
さらに、ステップＳＰ１２のようにＷスクリーンにＹスクリーンを設定することによりホワイト（Ｗ）色にＹスクリーンを使用する場合、イエロー（Ｙ）色に使用するスクリーンはＹスクリーンの代わりにＦＭスクリーンを設定しても良い。また、ステップＳＰ１４のようにＷスクリーンにＭスクリーンを設定することによりホワイト（Ｗ）色にＭスクリーンを使用する場合、マゼンタ（Ｍ）色に使用するスクリーンはＭスクリーンの代わりにＦＭスクリーンを設定しても良い。また、ステップＳＰ１６のようにＷスクリーンにＣスクリーンを設定することによりホワイト（Ｗ）色にＣスクリーンを使用する場合、シアン（Ｃ）色に使用するスクリーンはＣスクリーンの代わりにＦＭスクリーンを設定しても良い。また、ステップＳＰ１８のようにＷスクリーンにＫスクリーンを設定することによりホワイト（Ｗ）色にＫスクリーンを使用する場合、黒（Ｋ）色に使用するスクリーンはＫスクリーンの代わりにＦＭスクリーンを設定しても良い。
【００８２】
さらに上述した第２の実施の形態においては、プロセスカラーの画像信号値（すなわち色の濃さ）が下限閾値以下か又は上限閾値以上か否かを判定する場合について述べた。本発明はこれに限らず、１ページの全面（すなわち全ピクセル）に使用された場合を１００％として、１ページ内で全面のうち何％使用されるか否かを、閾値と比較しても良い。
【００８３】
さらに上述した第２の実施の形態においては、スクリーン選択処理手順ＳＲＴ１０１において、Ｙ画像信号、Ｍ画像信号、Ｃ画像信号、Ｋ画像信号の順番に、画像信号値が下限閾値以下か又は上限閾値以上か否かを判定する場合について述べた。本発明はこれに限らず、使用される量が少ない色から多い色の順番に画像信号値が下限閾値以下か否かを判定しても良い。
【００８４】
さらに上述した第２の実施の形態においては、全ての色に対し共通の上限閾値及び下限閾値を用いる場合について述べた。本発明はこれに限らず、上限閾値及び下限閾値は、色毎に異なっていても良い。
【００８５】
さらに、プリンタ１及び１０１の画像形成ユニット２４のＬＥＤヘッドにおいてＬＥＤが並ぶ方向である主走査方向に対するスクリーン角度が大きい色に使用されるスクリーンを、Ｗスクリーンに設定しても良い。その場合、スクリーン角度が１４度であるＣスクリーンよりもスクリーン角度が７６度であるＭスクリーンの方が優先的にＷスクリーンに設定されることとなる。
【００８６】
さらに上述した実施の形態においては、ページ単位で画像信号値を判定する場合について述べた。本発明はこれに限らず、オブジェクト単位で画像信号値を判定しても良い。
【００８７】
さらに上述した実施の形態においては、非周期なスクリーンとしてＦＭスクリーンを用いる場合について述べた。本発明はこれに限らず、非周期なスクリーンとして例えば誤差拡散スクリーン等を用いても良い。誤差拡散スクリーンとは、例えば１つのドットを閾値と比較することにより２５６階調を２値化していく際に、該１つのドットを２値化した場合の誤差を、右隣、右下及び下のドットのように周辺のドットに拡散していくスクリーンである。
【００８８】
さらに上述した実施の形態におけるＣスクリーン、Ｍスクリーン、Ｙスクリーン及びＫスクリーンにおけるスクリーン線数及びスクリーン角度は、上述した値に限らず種々の値で良い。要は、スクリーンを重ねた際にモアレを抑制し、且つ粒状感を抑制し画像が低下しなければ良い。
【００８９】
さらに上述した実施の形態においては、カラートナーはシアン（Ｃ）、マゼンタ（Ｍ）、イエロー（Ｙ）及びブラック（Ｋ）全てにより構成される場合について述べた。本発明はこれに限らず、カラートナーはシアン（Ｃ）、マゼンタ（Ｍ）、イエロー（Ｙ）及びブラック（Ｋ）のうちから所定数のトナーを選択して構成しても良い。
【００９０】
さらに上述した実施の形態においては、特色としてホワイト（Ｗ）を用いる場合について述べた。本発明はこれに限らず、金や銀等の他の種々の色であっても良く、またクリアであっても良い。
【００９１】
さらに上述した実施の形態においては、プリンタ１は５色のトナーに対応した５つの画像形成ユニット２４を有する場合について述べたが、本発明はこれに限らず、プリンタ１は４色以下のトナーに対応した４つ以下の画像形成ユニット又は６色以上のトナーに対応した６つ以上の画像形成ユニット等、種々の個数の画像形成ユニットを有して良い。
【００９２】
さらに上述した実施の形態においては、電子写真式のカラープリンタに本発明を適用する場合について述べた。本発明はこれに限らず、例えばコピー機、ＦＡＸ機等、外部から印刷データやスキャン画像データ等を入力して画像を形成する種々の装置に本発明を適用しても良い。また、画像を形成する機構を有していないコンピュータやプリンタサーバにおいて、本発明のコントローラ部３０が行う処理を行っても良い。
【００９３】
さらに上述した実施の形態においては、直接転写方式のプリンタ１に本発明を適用する場合について述べた。本発明はこれに限らず、中間転写ベルト上に１次転写されたトナー像を記録紙に２次転写する中間転写方式等、種々の方式のプリンタに本発明を適用しても良い。
【００９４】
さらに上述した実施の形態においては、タンデム方式のプリンタ１に本発明を適用する場合について述べた。本発明はこれに限らず、例えば４サイクル方式等、他の種々の方式のプリンタに本発明を適用しても良い。
【００９５】
さらに上述した実施の形態においては、電子写真式のプリンタ１に本発明を適用する場合について述べた。本発明はこれに限らず、インクジェット方式等、他の種々の方式のプリンタに本発明を適用しても良い。
【００９６】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【００９７】
さらに上述した第１の実施の形態においては、画像形成部としての画像形成部１４と、スクリーン選択部としてのスクリーン選択部５４と、ハーフトーン処理部としてのハーフトーン処理部６０とによって、画像形成装置としてのプリンタ１を構成する場合について述べた。しかしながら本発明はこれに限らず、その他種々の構成でなる画像形成部と、スクリーン選択部と、ハーフトーン処理部とによって画像形成装置を構成しても良い。
【産業上の利用可能性】
【００９８】
本発明は、プリンタに画像を印刷させるコンピュータの他、イメージスキャナやファクシミリ装置、或いは複写機等、画像に関する種々の処理を行う種々の電子機器でも利用できる。
【符号の説明】
【００９９】
１、１０１……プリンタ、１０……給紙トレイ、１２……給紙部、１４……画像形成部、１６……定着部、１８……排出部、２０……両面印刷ユニット、２２……搬送ベルト、２４……画像形成ユニット、３０、１３０……コントローラ部、３２……ＣＰＵ、３４……ＲＯＭ、３６……ＲＡＭ、３８……プリンタバス、４０……入出力Ｉ／Ｆ、４２……オペレーションパネル、４４……濃度センサ、４６……プリンタエンジン、４８……ＰＣ、５０……画像データ受信部、５２……色変換処理部、５４、１５４……スクリーン選択部、５６……濃度特性取得部、５８……階調補正処理部、６０……ハーフトーン処理部、６２……印字部。
【図１】
2019059094.tif 000003
【図２】
2019059094.tif 000004
【図３】
2019059094.tif 000005
【図４】
2019059094.tif 000006
【図５】
2019059094.tif 000007
【図６】
2019059094.tif 000008
【図７】
2019059094.tif 000009